(57)【要約】【課題】調色信号のデューティが０％又は１００％に近づくように変化する場合であっても、調色された光源の色温度が不自然に変化しないようにすることが可能な点灯装置を提供する。【解決手段】点灯装置は、ＰＷＭ信号である調色信号及び調光信号を外部から時系列的に取得し、取得した調色信号及び調光信号に基づく電流を第１及び第２光源に供給して点灯させる。取得した調色信号のデューティが第１閾値より大きく、且つ該第１閾値より大きい第２閾値より小さい場合、前記デューティの大小に応じて、前記第１光源に供給する電流を大小に調整し、且つ前記第２光源に供給する電流を小大に調整する調色部と、前記デューティが前記第１閾値より小さい場合、前記第１光源に供給する電流を漸減させる第１漸減部と、前記デューティが前記第２閾値より大きい場合、前記第２光源に供給する電流を漸減させる第２漸減部とを備える。【選択図】図４
2018163852.tif 000002
【特許請求の範囲】
【請求項１】
色温度が異なる第１及び第２光源からの光を混色して調整する度合いを示す調色信号と、前記第１及び第２光源の光量を調整する度合いを示す調光信号とを外部から時系列的に取得し、取得した調色信号及び調光信号に基づく電流を前記第１及び第２光源に供給して点灯させる点灯装置において、
前記調色信号はＰＷＭ信号であり、
取得した調色信号のデューティが第１閾値より大きく、且つ該第１閾値より大きい第２閾値より小さい範囲内にあるか否かを判定する判定部と、
該判定部で前記範囲内にあると判定した場合、前記デューティの大小に応じて、前記第１光源に供給する電流を大小に調整し、且つ前記第２光源に供給する電流を小大に調整する調色部と、
前記デューティが前記第１閾値より小さい場合、前記第１光源に供給する電流を漸減させる第１漸減部と、
前記デューティが前記第２閾値より大きい場合、前記第２光源に供給する電流を漸減させる第２漸減部と
を備えることを特徴とする点灯装置。
【請求項２】
前記第１及び第２漸減部は、前記第１及び第２光源に供給する電流を時間に対して一定の割合で減少させることを特徴とする請求項１に記載の点灯装置。
【請求項３】
前記第１及び第２漸減部で電流を漸減した場合、前記デューティを記憶する記憶部と、
前記判定部で前記範囲内にあると判定した場合、前記記憶部に記憶されたデューティが前記第１閾値より小さいときに、前記第１光源に供給する電流を漸増させる第１漸増部と、
前記判定部で前記範囲内にあると判定した場合、前記記憶部に記憶されたデューティが前記第２閾値より大きいときに、前記第２光源に供給する電流を漸増させる第２漸増部と
を更に備え、
前記調色部は、前記記憶部に記憶されたデューティが前記第１閾値より大きく、且つ前記第２閾値より小さい範囲内にある場合に電流を調整し、
前記記憶部は、前記第１及び第２漸増部で電流を漸増した場合、前記調色信号のデューティを記憶するようにしてある
ことを特徴とする請求項１又は２に記載の点灯装置。
【請求項４】
前記第１及び第２漸増部夫々は、前記第１及び第２光源に供給する電流を、前記調色信号のデューティに応じて前記調色部が調整すべき電流に向けて、時間に対して一定の割合で増加させることを特徴とする請求項３に記載の点灯装置。
【請求項５】
前記調色部は、前記第１閾値から第２閾値までの前記調色信号のデューティの変化に対して、前記第１及び第２光源夫々に供給する電流を変化させる範囲の上限同士及び下限同士が一致するように調整する
ことを特徴とする請求項１から４の何れか１項に記載の点灯装置。
【請求項６】
前記調色部は、
前記調色信号のデューティが前記第１閾値より小さい場合、前記第２光源に供給する電流を、前記範囲の上限の電流及び下限の電流の和に維持するようにしてあり、且つ
前記調色信号のデューティが前記第２閾値より大きい場合、前記第１光源に供給する電流を、前記和に維持するようにしてある
ことを特徴とする請求項５に記載の点灯装置。
【請求項７】
前記調光信号はＰＷＭ信号であり、
取得した調光信号のデューティが第３閾値以上、且つ該第３閾値より大きい第４閾値以下である場合、前記第１及び第２光源夫々に供給する電流の和が、取得した調光信号のデューティに応じた大きさとなるように、前記第１及び第２光源に供給する電流を調整する調光部を更に備えることを特徴とする請求項１から６の何れか１項に記載の点灯装置。
【発明の詳細な説明】
【技術分野】
【０００１】
本発明は、調光器からの信号に基づいて光源を点灯させる点灯装置に関する。
【背景技術】
【０００２】
近年、ＬＥＤ（Light Emitting Diode ）を光源とする照明器具が、住宅用、事業所用、道路用、産業用等の用途に広く使用されている。照明器具の光源は、例えば商用の交流電圧を直流電圧に変換する点灯装置から直流電圧が印加されて駆動される。
【０００３】
従来、光源の光出力の大きさを変化させたり、色温度が異なる複数種類のＬＥＤからの光を混色して中間的な色温度にしたりするための調光器が提供されている。調光器は、例えば調光つまみの操作に応じた情報を示す調光信号を出力し、この調光信号を入力する点灯装置が、調光信号によって示される情報に応じて光源の光出力の大きさ又は色温度を変化させる。
【０００４】
例えば特許文献１には、コントローラ（調光器）に接続されており、ＰＷＭ信号である調光信号が入力されて光源ユニットの調光及び調色を個別に実行する点灯装置が開示されている。この点灯装置は、色可変モードにて調光信号のデューティが５％から９０％まで変化する間に、光源モジュール４ａの光出力が１０％から９０％まで直線的に変化し、光源モジュール４ｂの光出力が９０％から１０％まで直線的に変化するようになっている。
【０００５】
特許文献１には、光源モジュール４ａ及び４ｂのうち一方及び他方夫々の光出力が０％及び１００％になってもよい、との記載があるが、一般的に光源の光出力の上限及び下限付近では、調光信号のデューティの変化に関わらず、光出力が一定に保持されることが多い。
【０００６】
例えば特許文献２には、色温度の情報を表す調色信号のデューティが約８％から約９２％まで変化する間に、色温度が夫々５０００°Ｋ及び３０００°Ｋである２つのＬＥＤアレイから光を混色して色温度を５０００°Ｋから約３２００°Ｋまで直線的に変化させる照明装置が開示されている。
【０００７】
この照明装置によれば、調色信号のデューティが９２％から１００％までの範囲内で色温度が一定（約３２００°Ｋ）であり、調色信号のデューティが１００％のときに色温度が３０００°Ｋに変化する。このことは、調色信号のデューティが９２％から１００％までの範囲内で、２つのＬＥＤアレイの光出力が一定に保持されており、調色信号のデューティが１００％のときに色温度が５０００°ＫのＬＥＤアレイの光出力がゼロに調整されることを示唆している。
【０００８】
調色信号のデューティの上限付近でＬＥＤアレイの光出力を調整する他の方法として、調色信号のデューティが増大して９２％になったときに、色温度が５０００°ＫのＬＥＤアレイの光出力をゼロにする方法が考えられる。この方法によれば、調色信号のデューティが９２％になったときに、２つのＬＥＤアレイからの光を混色した色温度が約３２００°Ｋから３０００°Ｋに変化する。
【先行技術文献】
【特許文献】
【０００９】
【特許文献１】特開２０１５−３２４５１号公報
【特許文献２】特開２０１２−４２４０号公報
【発明の概要】
【発明が解決しようとする課題】
【００１０】
しかしながら、特許文献２に記載された調色方法又は上記他の調色方法によれば、調色信号のデューティが約９２％又は１００％になったときに色温度が不自然に変化するため、使用者に不快感を与えるという問題があった。
【００１１】
本発明は斯かる事情に鑑みてなされたものであり、その目的とするところは、調色信号のデューティが０％又は１００％に近づくように変化する場合であっても、調色された光源の色温度が不自然に変化しないようにすることが可能な点灯装置を提供することにある。
【課題を解決するための手段】
【００１２】
本発明の一態様に係る点灯装置は、色温度が異なる第１及び第２光源からの光を混色して調整する度合いを示す調色信号と、前記第１及び第２光源の光量を調整する度合いを示す調光信号とを外部から時系列的に取得し、取得した調色信号及び調光信号に基づく電流を前記第１及び第２光源に供給して点灯させる点灯装置において、前記調色信号はＰＷＭ信号であり、取得した調色信号のデューティが第１閾値より大きく、且つ該第１閾値より大きい第２閾値より小さい範囲内にあるか否かを判定する判定部と、該判定部で前記範囲内にあると判定した場合、前記デューティの大小に応じて、前記第１光源に供給する電流を大小に調整し、且つ前記第２光源に供給する電流を小大に調整する調色部と、前記デューティが前記第１閾値より小さい場合、前記第１光源に供給する電流を漸減させる第１漸減部と、前記デューティが前記第２閾値より大きい場合、前記第２光源に供給する電流を漸減させる第２漸減部とを備えることを特徴とする。
【００１３】
なお、本願は、このような特徴的な処理部を備える点灯装置として実現することができるだけでなく、かかる特徴的な処理をステップとする点灯方法として実現したり、かかるステップをコンピュータに実行させるためのプログラムとして実現したりすることができる。また、点灯装置の一部又は全部を半導体集積回路として実現したり、点灯装置を含むシステムとして実現したりすることができる。
【発明の効果】
【００１４】
上記によれば、調色信号のデューティが０％又は１００％に近づくように変化する場合であっても、調色された光源の色温度が不自然に変化しないようにすることが可能となる。
【図面の簡単な説明】
【００１５】
【図１】本発明の実施形態１に係る点灯装置を含む点灯システムの構成例を示すブロック図である。
【図２】調光器からの調光信号及び調光器からの調色信号の一例を示すタイミングチャートである。
【図３】マイコンが出力する２系統のＰＷＭ信号の一例を示すタイミングチャートである。
【図４】調光信号のデューティとＩｍａｘに対するＩｓｕｍの割合との関係を示すグラフである。
【図５】調色信号のデューティと光源に供給される電流との関係を示すグラフである。
【図６】調色信号のデューティと光源に供給される電流との関係を示すグラフである。
【図７】調色信号のデューティと光源に供給される電流との関係を示すグラフである。
【図８】調光信号及び調色信号を取得して光源に供給する電流を増／減させるマイコンの処理手順を示すフローチャートである。
【図９】本発明の実施形態２に係る点灯装置で調色信号のデューティと光源に供給される電流との関係を示すグラフである。
【図１０】調光信号及び調色信号を取得して光源に供給する電流を増／減させるマイコンの処理手順を示すフローチャートである。
【図１１】調光信号及び調色信号を取得して光源に供給する電流を増／減させるマイコンの処理手順を示すフローチャートである。
【発明を実施するための形態】
【００１６】
［本発明の実施形態の説明］
最初に本発明の実施態様を列記して説明する。また、以下に記載する実施形態の少なくとも一部を任意に組み合わせてもよい。
【００１７】
（１）本発明の一態様に係る点灯装置は、色温度が異なる第１及び第２光源からの光を混色して調整する度合いを示す調色信号と、前記第１及び第２光源の光量を調整する度合いを示す調光信号とを外部から時系列的に取得し、取得した調色信号及び調光信号に基づく電流を前記第１及び第２光源に供給して点灯させる点灯装置において、前記調色信号はＰＷＭ信号であり、取得した調色信号のデューティが第１閾値より大きく、且つ該第１閾値より大きい第２閾値より小さい範囲内にあるか否かを判定する判定部と、該判定部で前記範囲内にあると判定した場合、前記デューティの大小に応じて、前記第１光源に供給する電流を大小に調整し、且つ前記第２光源に供給する電流を小大に調整する調色部と、前記デューティが前記第１閾値より小さい場合、前記第１光源に供給する電流を漸減させる第１漸減部と、前記デューティが前記第２閾値より大きい場合、前記第２光源に供給する電流を漸減させる第２漸減部とを備えることを特徴とする。
【００１８】
本態様にあっては、ＰＷＭ信号である調光信号及び調色信号を外部から取得し、取得したこれらの信号に基づく電流を第１及び第２光源に供給して点灯させる。取得した調色信号のデューティが第１閾値から第２閾値までの範囲内にある場合、調色信号のデューティの大小の変化（即ち増加及び減少）に応じて第１光源に供給する電流を大小に調整する（即ち増加及び減少させる）と共に、第２光源に供給する電流を小大に調整する（即ち減少及び増加させる）。また、取得した調色信号のデューティが第１閾値より小さい場合、第１光源に供給する電流を漸減させる。更に、調色信号のデューティが第２閾値より大きい場合、第２光源に供給する電流を漸減させる。
（２）前記第１及び第２漸減部は、前記第１及び第２光源に供給する電流を時間に対して一定の割合で減少させることが好ましい。
【００１９】
本態様にあっては、第１光源及び第２光源に供給する電流を漸減させる場合、時間の経過と共に直線的に電流を減少させる。
【００２０】
（３）前記第１及び第２漸減部で電流を漸減した場合、前記デューティを記憶する記憶部と、前記判定部で前記範囲内にあると判定した場合、前記記憶部に記憶されたデューティが前記第１閾値より小さいときに、前記第１光源に供給する電流を漸増させる第１漸増部と、前記判定部で前記範囲内にあると判定した場合、前記記憶部に記憶されたデューティが前記第２閾値より大きいときに、前記第２光源に供給する電流を漸増させる第２漸増部とを更に備え、前記調色部は、前記記憶部に記憶されたデューティが前記第１閾値より大きく、且つ前記第２閾値より小さい範囲内にある場合に電流を調整し、前記記憶部は、前記第１及び第２漸増部で電流を漸増した場合、前記調色信号のデューティを記憶するようにしてあることが好ましい。
【００２１】
本態様にあっては、第１光源及び第２光源に供給する電流を漸減させた場合に、取得した調色信号のデューティを記憶しておく。記憶したデューティが第１閾値より小さく、且つ取得した調色信号のデューティが第１及び第２閾値の範囲内にある場合は、第１光源に供給する電流を漸増させ、記憶したデューティが第２閾値より大きく、且つ取得した調色信号のデューティが第１及び第２閾値の範囲内にある場合は、第２光源に供給する電流を漸増させる。更に、第１光源及び第２光源に供給する電流を漸増させた場合は、取得した調色信号のデューティを記憶して記憶内容を更新する。記憶したデューティと、取得した調色信号のデューティとが第１及び第２閾値の範囲内にある場合は、調色信号のデューティに応じて第１及び第２光源に供給する電流を調整する。
【００２２】
（４）前記第１及び第２漸増部夫々は、前記第１及び第２光源に供給する電流を、前記調色信号のデューティに応じて前記調色部が調整すべき電流に向けて、時間に対して一定の割合で増加させることが好ましい。
【００２３】
本態様にあっては、第１光源及び第２光源に供給する電流を漸増させる場合、取得した調色信号のデューティに応じて供給すべき電流に向けて、時間の経過と共に直線的に電流を増加させる。
【００２４】
（５）前記調色部は、前記第１閾値から第２閾値までの前記調色信号のデューティの変化に対して、前記第１及び第２光源夫々に供給する電流を変化させる範囲の上限同士及び下限同士が一致するように調整することが好ましい。
【００２５】
本態様にあっては、取得した調色信号のデューティが第１閾値から第２閾値までの範囲内で変化する場合、第１光源及び第２光源夫々に供給する電流の変化範囲について、上限同士が一致し、更に下限同士が一致するように調整する。
【００２６】
（６）前記調色部は、前記調色信号のデューティが前記第１閾値より小さい場合、前記第２光源に供給する電流を、前記範囲の上限の電流及び下限の電流の和に維持するようにしてあり、且つ前記調色信号のデューティが前記第２閾値より大きい場合、前記第１光源に供給する電流を、前記和に維持するようにしてあることが好ましい。
【００２７】
本態様にあっては、取得した調色信号のデューティが第１閾値より小さい場合、第２光源に供給する電流を、第２光源の変化範囲の上限の電流と第１光源の変化範囲の下限の電流とを加算した電流に維持する。また、取得した調色信号のデューティが第２閾値より大きい場合、第１光源に供給する電流を、第１光源の変化範囲の上限の電流と第２光源の変化範囲の下限の電流とを加算した電流に維持する。
【００２８】
（７）前記調光信号はＰＷＭ信号であり、取得した調光信号のデューティが第３閾値以上、且つ該第３閾値より大きい第４閾値以下である場合、前記第１及び第２光源夫々に供給する電流の和が、取得した調光信号のデューティに応じた大きさとなるように、前記第１及び第２光源に供給する電流を調整する調光部を更に備えることが好ましい。
【００２９】
本態様にあっては、外部から取得した調光信号のデューティが、第３閾値と該第３閾値より大きい第４閾値との間にある場合、第１及び第２光源夫々に供給する電流を加算した電流が、取得した調光信号のデューティに応じた大きさの電流となるように調整する。
【００３０】
［本発明の実施形態の詳細］
本発明の実施形態に係る点灯装置の具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。また、各実施形態で記載されている技術的特徴は、お互いに組み合わせることが可能である。
【００３１】
（実施形態１）
図１は、本発明の実施形態１に係る点灯装置を含む点灯システムの構成例を示すブロック図である。図中１は点灯装置であり、点灯装置１は、調光器３及び４夫々から調光信号及び調色信号を時系列的に取得し、取得した調光信号及び調色信号に基づく電流を光源５及び６（第１及び第２光源に相当）に供給して点灯させる。
【００３２】
調光器３は、使用者が不図示のつまみを回転させることにより、回転角に応じて、光源５及び６の光量を調整する度合いを示す調光信号を点灯装置１に出力する。調光器４は、使用者が不図示のつまみを回転させることにより、回転角に応じて、光源５及び６からの光を混色して調整する度合いを示す調色信号を点灯装置１に出力する。
【００３３】
光源５及び６は、例えばＬＥＤを含み、供給される電流の増減に応じて光量が増減する。光源５及び６は、出力する光の色温度が互いに異なっている。このため、光源５及び６に供給される電流の配分に応じて、視認される光の色温度が変化する。
【００３４】
点灯装置１は、調光器３及び４夫々からの調光信号及び調色信号をフォトカプラ１１及び２１を介して取得し、取得した調光信号及び調色信号のデューティ比（以下、単にデューティという）を検出するマイクロコンピュータ（以下マイコンという）１０を備える。マイコン１０は、検出した夫々のデューティに基づいて２系統のＰＷＭ信号を出力する。検出されたデューティは、不図示のＲＡＭ（Random Access Memory ）に記憶領域として確保された記憶部１０１に記憶される。但し、記憶部１０１に記憶せずに、マイコン１０のレジスタ等に記憶してもよい。なお、フォトカプラ１１及び２１は、ＰＷＭ信号を伝達するための他の回路素子又は他の回路であってもよい（以下同様）。
【００３５】
点灯装置１は、また、マイコン１０が出力した２系統のＰＷＭ信号を各別に積分する積分回路１２及び２２と、該積分回路１２及び２２夫々の出力電圧が入力される演算増幅器（以下、オペアンプという）１３及び２３とを備える。オペアンプ１３は、積分回路１２の出力電圧と、後述する抵抗器１７の検出電圧との差分を増幅する。オペアンプ２３は、積分回路２２の出力電圧と、後述する抵抗器２７の検出電圧との差分を誤差電圧として増幅する。なお、マイコン１０と積分回路１２及び２２夫々との間に他のフォトカプラを介在させて絶縁するようにしてもよい。
【００３６】
点灯装置１は、更に、オペアンプ１３及び２３夫々が増幅した誤差電圧をフォトカプラ１４及び２４を介して入力するコンバータ用の制御ＩＣ１５及び２５と、該制御ＩＣ１５及び２５夫々によって電圧の変換が制御されるＤＣ／ＤＣコンバータ１６及び２６と、交流電源７の交流電圧を直流電圧に変換してＤＣ／ＤＣコンバータ１６及び２６に印加するＰＦＣ（Power Factor Controller ）回路２０とを備える。
【００３７】
ＤＣ／ＤＣコンバータ１６及び２６夫々は、ＰＦＣ回路２０から印加された直流電圧を降圧し、降圧した直流電圧を抵抗器１７及び２７夫々を介して光源５及び６に印加することにより、光源５及び６に直流電流を供給する。光源５及び６夫々に供給される電流は抵抗器１７及び２７にて検出され、これによる検出電圧がオペアンプ１３及び２３に入力されるようになっている。なお、抵抗器１７及び２７夫々とＤＣ／ＤＣコンバータ１６及び２６との接続点が、例えば接地電位である基準電位に接続されている。
【００３８】
上述の構成により、抵抗器１７及び２７夫々に流れる電流が、積分回路１２及び２２の出力電圧に比例するように制御される。積分回路１２及び２２夫々の出力電圧は、マイコン１０が出力する２系統のＰＷＭ信号のデューティに比例するから、光源５及び６夫々に供給される電流は、マイコン１０が積分回路１２及び２２に対して出力するＰＷＭ信号のデューティに比例するように制御される。
【００３９】
次に、マイコン１０が入出力するＰＷＭ信号について説明する。図２は、調光器３からの調光信号及び調光器４からの調色信号の一例を示すタイミングチャートであり、図３は、マイコン１０が出力する２系統のＰＷＭ信号の一例を示すタイミングチャートである。図２及び３では、横軸が時間（ｔ）を表し、縦軸が信号のオン／オフ状態を表す。調光信号及び調色信号は、周期がＴ１（例えば１ｍｓ）のＰＷＭ信号である。図２に示す例では、調光信号及び調色信号夫々のデューティが０．３及び０．６である。
【００４０】
調光信号は、光源５及び６の光量を調整する度合いをデューティによって示す信号である。調光器３及び４は、調光信号のデューティの仕様として５％から９０％までをカバーするものが多いため、本実施形態１では、５％（第３閾値に相当）から９０％（第４閾値に相当）までの変化範囲内で調光信号のデューティの大小に応じて、光源５及び６に供給する電流の和を小大に調整する。即ち、調光信号のデューティの増加及び減少（以下増／減ともいう）に応じて、光源５及び６に供給する電流の和を減少及び増加（以下、減／増ともいう）させる。具体的には、調光信号のデューティをＤ１とし、光源５及び６に供給する電流の和の最大値（定数）をＩｍａｘとし、光源５及び６に供給する電流の和（変数）をＩｓｕｍとした場合、Ｉｓｕｍは、以下の式（１）によって表される。
【００４１】
Ｉｓｕｍ＝Ｉｍａｘ（１−Ｄ１’）・・・・・・・・・・・・・・・・・・・・・（１）
但し、
Ｄ１’＝（Ｄ１−０．０５）×０．９５／０．８５・・・・・・・・・・・・・・（２）
（０．０５≦Ｄ１≦０．９）
【００４２】
式（１）で用いるＤ１’を、式（２）によってＤ１から変換して求めているのは、調光信号のデューティＤ１に係る５％から９０％までの変化範囲を、Ｄ１’に係る０％から９５％までの変化範囲に均等にマッピングするためである。上記の場合は、調光信号のデューティの大小に応じて、光源５及び６に供給する電流の和を小大に調整したが、これとは逆に、調光信号のデューティの大小に応じて、光源５及び６に供給する電流の和を大小に調整してもよい。この場合のＩｓｕｍは、式（１）に代えてＩｍａｘとＤ１’との積によって算出すればよい。但し、Ｄ１’は式（２）で算出される値に０．５を加算したものとなる。これにより、調光信号のデューティＤ１に係る５％から９０％までの変化範囲が、Ｄ１’に係る５％から１００％までの変化範囲に均等にマッピングされる。
【００４３】
図４は、調光信号のデューティとＩｍａｘに対するＩｓｕｍの割合との関係を示すグラフである。図の横軸は調光信号のデューティ（％）を表し、縦軸はＩｓｕｍ／Ｉｍａｘ（％）を表す。図中の実線は、調光信号のデューティの大小に応じて光源４に供給する電流を小大に調整する場合の特性を示すものであり、破線は、調光信号のデューティの大小に応じて光源４に供給する電流を大小に調整する場合の特性を示すものである。なお、光源５及び６に供給する電流の和は、図４中の実線又は破線で示されるように調光信号のデューティＤ１に対して直線的に変化するものに限定されず、デューティＤ１に対して曲線的に滑らかに変化するものであってもよい。
【００４４】
図４の実線で示される特性の場合、式（１）よりＩｓｕｍ／Ｉｍａｘは１−Ｄ１’であり、Ｄ１’は式（２）で表されるから、調光信号のデューティＤ１が５％から９０％までの範囲内にあるときに、Ｉｓｕｍ／Ｉｍａｘは図４に示される傾きが−０．９５／０．８５の直線上の点として表される。一方、図４の破線で示される特性の場合、Ｉｓｕｍ／ＩｍａｘはＤ１’であり、Ｄ１’は式（２）で表される値に０．５を加算したものであるから、調光信号のデューティＤ１が５％から９０％までの範囲内にあるときに、Ｉｔｇｔ／Ｉｍａｘは図４に示される傾きが０．９５／０．８５の直線上の点として表される。以下では、調光信号のデューティの大小に応じて、光源５及び６に供給する電流の和を小大に調整する場合、即ち図４の実線で示される特性の場合について説明する。
【００４５】
なお、調光信号のデューティＤ１が５％より小さい場合、Ｄ１’の値は、デューティが５％のときに式（２）によって算出される値と同じく０に固定する。この場合、式（１）よりＩｓｕｍ＝Ｉｍａｘとなる。また、調光信号のデューティＤ１が９０％より大きい場合、Ｄ１’の値は、デューティが９０％のときに式（２）によって算出される値と同じく０．９５に固定する。この場合、式（１）よりＩｓｕｍ＝０．０５Ｉｍａｘとなる。
【００４６】
一方の調色信号は、光源５及び６からの光を混色して調整する度合いをデューティによって示す信号である。本実施形態１では、調色信号のデューティの大小に応じて、光源５に割り振って供給する電流を大小に調整し、光源６に割り振って供給する電流を小大に調整する。即ち、調色信号のデューティの増／減に応じて、光源５に供給する電流を増／減させ、光源６に供給する電流を減／増させる。具体的には、調色信号のデューティをＤ２とし、光源５及び６夫々に供給される電流をＩ１及びＩ２とした場合、Ｉ１及びＩ２夫々は以下の式（３）及び（４）によって表される。
【００４７】
Ｉ１＝ＩｓｕｍＤ２’・・・・・・・・・・・・・・・・・・・・・・・・・・・（３）
Ｉ２＝Ｉｓｕｍ（１−Ｄ２’）・・・・・・・・・・・・・・・・・・・・・・・（４）
但し、
Ｄ２’＝（Ｄ２−０．０５）×０．９０／０．８５＋０．０５・・・・・・・・・（５）
（０．０５≦Ｄ２≦０．９）
【００４８】
式（３）及び（４）で用いるＤ２’を、式（５）によってＤ２から変換して求めているのは、調色信号のデューティＤ２に係る５％から９０％までの変化範囲を、Ｄ２’に係る５％から９５％までの変化範囲に均等にマッピングするためである。ここで式（３）及び（４）の右辺のＩｓｕｍに式（１）を代入して以下の式（６）及び（７）が得られる。
【００４９】
Ｉ１＝Ｉｍａｘ（１−Ｄ１’）Ｄ２’・・・・・・・・・・・・・・・・・・・・（６）
Ｉ２＝Ｉｍａｘ（１−Ｄ１’）（１−Ｄ２’）・・・・・・・・・・・・・・・・（７）
但し、
Ｉｍａｘ：光源５及び６に供給する電流の和の最大値
【００５０】
特に、図２の場合は、Ｄ１及びＤ２夫々が０．３及び０．６であるから、これらの値を式（２）及び（５）に代入し、得られたＤ１’及びＤ２’を式（６）及び（７）に代入することにより、以下の式（８）及び（９）が成立する。但し、有効数字を２桁とする。
【００５１】
Ｉ１＝０．４６Ｉｍａｘ・・・・・・・・・・・・・・・・・・・・・・・・・・（８）
Ｉ２＝０．２６Ｉｍａｘ・・・・・・・・・・・・・・・・・・・・・・・・・・（９）
【００５２】
上述したように、光源５及び６夫々に供給される電流は、マイコン１０が積分回路１２及び２２に対して出力するＰＷＭ信号のデューティに比例する。ここで、マイコン１０が出力する一方のＰＷＭ信号のデューティが１、且つ他方のＰＷＭ信号のデューティが０の場合に、光源５及び６の一方に供給される電流がＩｍａｘ、且つ他方に供給される電流が０となるようにすることができる。
【００５３】
マイコン１０が、図２に示す調光信号及び調色信号を取得した場合、光源５及び６夫々に式（６）及び（７）で表される電流を供給するには、積分回路１２及び２２夫々に対して、図３の上段及び下段に示すＰＷＭ信号を出力すればよい。即ち、マイコン１０は、積分回路１２及び２２夫々に対して、デューティが０．４６及び０．２６のＰＷＭ信号を出力する。これらのＰＷＭ信号の周期は任意の長さでよいが、本実施形態１では周期をＴ２とする。このように、マイコン１０は、調光信号及び調色信号夫々のデューティＤ１及びＤ２を検出して式（２）及び（５）に適用し、算出されたＤ１’及びＤ２’を式（６）及び（７）に適用することにより、積分回路１２及び２２夫々に対して出力すべきＰＷＭ信号のデューティを、Ｉｍａｘの係数として算出することができる。
【００５４】
次に、光源５及び６に供給される電流が調色信号によって変化する様子を説明する。図５、図６及び図７は、調色信号のデューティと光源５及び６に供給される電流との関係を示すグラフである。これらの図中、横軸は調色信号のデューティ（％）を表し、縦軸は光源５及び６に供給される電流（ｍＡ）を表す。実線が光源５に対応し、破線が光源６に対応する。ここでは例としてＩｍａｘ＝１００ｍＡとする。
【００５５】
調光信号のデューティＤ１は、図５の場合が５％以下、図６の場合が４９．７％、図７の場合が９０％以上である。よって、上述したように、図５の場合はＩｓｕｍ＝Ｉｍａｘ＝１００ｍＡであり、図７の場合はＩｓｕｍ＝０．０５Ｉｍａｘ＝５ｍＡである。図６の場合の調光信号のデューティは、式（１）の左辺でＩｓｕｍ＝０．５Ｉｍａｘとし、式（２）のＤ１’を式（１）の左辺に代入してＤ１’を消去することにより、Ｄ１＝０．４９７と算出されたものである。この場合はＩｓｕｍ＝５０ｍＡである。調光信号のデューティＤ１が５％と９０％との間の他の大きさである場合についても同様であるため、図示を省略する。
【００５６】
図５、図６及び図７の何れについても、調色信号のデューティが５％から９０％までの範囲内で変化する場合、光源５及び６夫々に供給する電流の変化範囲について、上限同士がＩｓｕｍの９５％に一致し、下限同士がＩｓｕｍの５％に一致している。これは、光源５及び６夫々に供給する電流Ｉ１及びＩ２を式（３）〜（５）によって算出した結果である。これにより、５％及び９０％という閾値の中間値が５０％に一致しないにもかかわらず、光源５及び６夫々に供給する電流を、Ｉｓｕｍの５０％を中心にＩｓｕｍの５％からＩｓｕｍの９５％まで滑らかに変化させることができる。
【００５７】
先ず図５について、マイコン１０が最初に取り込んだ調色信号のデューティが５％より小さい場合、マイコン１０は、積分回路１２及び２２夫々に対して出力するＰＷＭ信号のデューティを０％及び１００％に維持する。これにより、光源５及び６夫々に供給される電流はＩｓｕｍの０ｍＡ（図中の矢印付き実線の下側にある横向きの実線）及びＩｓｕｍの１００ｍＡに維持される。ここで光源６に供給される電流は、調色信号のデューティが５％から９０％までの間で変化するときに、光源６に供給される電流が変化する範囲の上限の電流と、光源５に供給される電流が変化する範囲の下限の電流とを加算した電流に一致している。つまり、通常は光源５及び６に割り振られるべき電流が、全て光源６に供給されている。
【００５８】
その後、調色信号のデューティが５％に上昇した場合、マイコン１０は、積分回路１２及び２２夫々に対して出力するＰＷＭ信号のデューティを５％及び９５％にする。これにより、光源５及び６夫々に供給される電流は５ｍＡ及び９５ｍＡとなる。このように光源５及び６に供給される電流が階段状に増減するが、増減分が相殺されるため、トータルの光量に変化は生じない。
【００５９】
その後、調色信号のデューティが５％（第１閾値に相当）から９０％（第２閾値に相当）までの範囲内で増／減する場合、マイコン１０は、積分回路１２及び２２夫々に対して出力するＰＷＭ信号のデューティを、式（６）及び（７）の右辺におけるＩｍａｘの係数として算出する。これにより、光源５に供給される電流は５ｍＡから９５ｍＡまでの範囲内で増／減し、光源６に供給される電流は９５ｍＡから５ｍＡまでの範囲内で減／増する。
【００６０】
その後、調色信号のデューティが９０％になった場合、マイコン１０は、積分回路１２に対して出力するＰＷＭ信号のデューティを１００％にする。これにより、光源５に供給される電流が１００ｍＡとなる。この場合、光源５に供給される電流が９５％から１００％に階段状に増加するが、光源５及び６からの光が混色されて視認されたときの色温度の変化が特に目立つことはない。
【００６１】
その後、調色信号のデューティが９０％より大きくなった場合、マイコン１０は、積分回路１２に対して出力するＰＷＭ信号のデューティを１００％に維持すると共に、積分回路２２に対して出力するＰＷＭ信号のデューティを５％から０％に向けて漸減させる（図中の矢印付き破線参照）。これにより、光源５に供給される電流が１００ｍＡとなり、光源６に供給される電流が５ｍＡから０ｍＡに漸減する。このように、光源６が突然消灯することがないように制御されるため、光源５及び６からの光が混色されて視認されたときの色温度の変化が目立たなくなる。
【００６２】
なお、図５では、便宜上、調色信号のデューティが９０％より大きくなるにつれて破線が右下がりに低下するように描いてあるが、実際にはマイコン１０は、積分回路２２に対して出力するＰＷＭ信号のデューティを５％から０％に向けて一定の時間内（例えば３秒間）に一定の減少率で直線的に漸減させる。この間、マイコン１０は、積分回路１２に対して出力するＰＷＭ信号のデューティを９５％から１００％に向けて漸増させるようにしてもよい。なお、積分回路２２に対して出力されるＰＷＭ信号のデューティが、例えば指数関数ｆ（ｔ）＝ａ-bt （ａ及びｂは正の実数、ｔは時間）、又は冪関数ｇ（ｔ）＝ｃｔ-d （ｔは時間、ｃ及びｄは正の実数）で表される下に凸の曲線に沿って滑らかに減少するようにしてもよい。
【００６３】
一方、マイコン１０が最初に取り込んだ調色信号のデューティが９０％より大きい場合、マイコン１０は、積分回路１２及び２２夫々に対して出力するＰＷＭ信号のデューティを１００％及び０％に維持する。これにより、光源５及び６夫々に供給される電流は１００ｍＡ及び０ｍＡ（図中の矢印付き破線の下側にある横向きの破線）に維持される。ここで光源５に供給される電流は、調色信号のデューティが５％から９０％までの間で変化するときに、光源に５供給される電流が変化する範囲の上限の電流と、光源６に供給される電流が変化する範囲の下限の電流とを加算した電流に一致している。つまり、通常は光源５及び６に割り振られるべき電流が、全て光源５に供給されている。
【００６４】
その後、調色信号のデューティが９０％に低下した場合、マイコン１０は、積分回路１２及び２２夫々に対して出力するＰＷＭ信号のデューティを９５％及び５％にする。これにより、光源５及び６夫々に供給される電流は９５ｍＡ及び５ｍＡとなる。このように光源５及び６に供給される電流が階段状に増減するが、増減分が相殺されるため、トータルの光量に変化は生じない。
【００６５】
その後、調色信号のデューティＤ２が５％から９０％までの範囲内で増／減する場合、マイコン１０は、積分回路１２及び２２夫々に対して出力するＰＷＭ信号のデューティを、式（６）及び（７）の右辺におけるＩｍａｘの係数として算出する。これにより、光源５に供給される電流は５ｍＡから９５ｍＡまでの範囲内で増／減し、光源６に供給される電流は９５ｍＡから５ｍＡまでの範囲内で減／増する。
【００６６】
その後、調色信号のデューティが５％になった場合、マイコン１０は、積分回路２２に対して出力するＰＷＭ信号のデューティを１００％にする。これにより、光源６に供給される電流が１００ｍＡとなる。この場合、光源６に供給される電流が９５％から１００％に階段状に増加するが、光源５及び６からの光が混色されて視認されたときの色温度の変化が特に目立つことはない。
【００６７】
その後、調色信号のデューティが５％より小さくなった場合、マイコン１０は、積分回路２２に対して出力するＰＷＭ信号のデューティを１００％に維持すると共に、積分回路１２に対して出力するＰＷＭ信号のデューティを５％から０％に向けて漸減させる（図中の矢印付き実線参照）。これにより、光源６に供給される電流が１００ｍＡとなり、光源５に供給される電流が５ｍＡから０ｍＡに漸減する。このように、光源５が突然消灯することがないように制御されるため、光源５及び６からの光が混色されて視認されたときの色温度の変化が目立たなくなる。
【００６８】
なお、図５では、便宜上、調色信号のデューティが５％より小さくなるにつれて実線が左下がりに低下するように描いてあるが、実際にはマイコン１０は、積分回路１２に対して出力するＰＷＭ信号のデューティを５％から０％に向けて一定の時間内（例えば３秒間）に一定の減少率で直線的に漸減させる。この間、マイコン１０は、積分回路２２に対して出力するＰＷＭ信号のデューティを９５％から１００％に向けて漸増させるようにしてもよい。なお、積分回路１２に対して出力されるＰＷＭ信号のデューティが、下に凸の曲線に沿って滑らかに減少するようにしてもよい。
【００６９】
図６に移って、調光信号のデューティが４９．７％の場合は、調光信号のデューティが５％以下である図５の場合と比較して、マイコン１０が出力するＰＷＭ信号のデューティが１／２になる点に違いがある。調色信号のデューティの変化に応じたマイコン１０の処理内容に本質的な違いがないため、詳細な説明を省略する。具体的には、図５の場合、マイコン１０が最初に取り込んだ調色信号のデューティに応じて積分回路１２及び２２夫々に対して出力するＰＷＭ信号のデューティの境界値は、０％、１００％、５％、及び９５％であった。図６の場合は、これらの境界値が、０％、５０％、２．５％、及び４７．５％となる。
【００７０】
図７に移って、調光信号のデューティが９０％以上の場合は、調光信号のデューティが５％以下である図５の場合と比較して、マイコン１０が出力するＰＷＭ信号のデューティが１／２０になる点に違いがある。調色信号のデューティの変化に応じたマイコン１０の処理内容に本質的な違いがないため、詳細な説明を省略する。具体的には、図５の場合、マイコン１０が最初に取り込んだ調色信号のデューティに応じて積分回路１２及び２２夫々に対して出力するＰＷＭ信号のデューティの境界値は、０％、１００％、５％、及び９５％であった。図７の場合は、これらの境界値が、０％、５％、０．２５％、及び４．７５％となる。
【００７１】
以下では、上述した点灯装置１の動作を、それを示すフローチャートを用いて説明する。図８は、調光信号及び調色信号を取得して光源５及び６に供給する電流を増／減させるマイコン１０の処理手順を示すフローチャートである。図８の処理は、例えば点灯装置１の電源が投入された場合、マイコン１０による初期化の後に起動され、２回目以降はステップＳ１１から始まる処理として適時に起動される。以下の処理では、マイコン１０が取得して検出した調光信号のデューティ及び調色信号のデューティ（ここでは、調光デューティ及び調色デューティという）が、後の比較のために検出の都度記憶部１０１に記憶される。
【００７２】
図８の処理が起動された場合、マイコン１０は、所謂フェードインの処理を行う（Ｓ１０）。具体的にマイコン１０は、取得した調光信号及び調色信号夫々のデューティを検出してＤ１及びＤ２を式（２）及び（５）に代入し、得られたＤ１’及びＤ２’を式（６）及び（７）に代入することによって、積分回路１２及び２２夫々に対して出力すべきＰＷＭ信号のデューティを算出する。その後、マイコン１０は、算出又は決定したデューティを目標値として、積分回路１２及び２２夫々に対して出力すべきＰＷＭ信号のデューティを漸増させることにより、フェードインを実現する。なお、本実施形態１では、簡単のために、調光信号及び調色信号が５％以上、且つ９０％以下のときにフェードインが実行されるものとする。
【００７３】
次いで、マイコン１０は、調光器３及び４夫々から調光信号及び調色信号を取り込んで夫々のデューティを検出し（Ｓ１１）、検出した調光デューティに変更が有ったか否かを判定する（Ｓ１２）。変更が有った場合（Ｓ１２：ＹＥＳ）、マイコン１０は、検出した調光デューティの増／減に応じて第１光源（光源５：以下同様）及び第２光源（光源６：以下同様）夫々に供給する電流を減／増させた（Ｓ１３：調光部に相当）後、ステップＳ１１に処理を移す。この場合、基本的には式（１）及び（２）に従って、調光デューティの増加が供給電流の減少に対応付けられ、調光デューティの減少が供給電流の増加に対応付けられる。供給電流の増／減が、マイコン１０が出力するＰＷＭ信号のデューティの増／減によって実現されるのは、上述したとおりである。
【００７４】
ステップＳ１２で調光デューティに変更が無かった場合（Ｓ１２：ＮＯ）、マイコン１０は、検出した調色デューティに変更が有ったか否かを判定し（Ｓ１４）、変更が無かった場合（Ｓ１４：ＮＯ）、調光信号及び調色信号を時系列的に取り込むために、ステップＳ１１に処理を移す。
【００７５】
ステップＳ１２及びＳ１４における変更の有無の判定では、例えば記憶部１０１に記憶したデューティとの差分が１％以上であるか否かを判定して、一定の範囲内の差分を変更と扱わないようにすることが好ましい。また、後述するステップＳ１８及びＳ１９夫々で光源５及び６の電流の漸減が実行された後に、図８のステップＳ１１から始まる処理が起動された場合、ステップＳ１４では、検出した調色デューティが５％以上且つ９０％以下となるまで変更無しと判定することが好ましい。これにより、再び光源５及び６の電流の漸減が実行されることが防止される。
【００７６】
ステップＳ１４で調色デューティに変更が有った場合（Ｓ１４：ＹＥＳ）、マイコン１０は、検出した調色デューティが５％以上、且つ９０％以下の範囲内にあるか否かを判定する（Ｓ１５：判定部に相当）。調色デューティが上記デューティの範囲内にある場合（Ｓ１５：ＹＥＳ）、マイコン１０は、検出した調色デューティの増／減に応じて、第１光源に供給する電流を増／減させると共に、第２光源に供給する電流を減／増させた（Ｓ１６：調色部に相当）後、ステップＳ１１に処理を移す。この場合、基本的には式（３）〜（５）に従って、調色デューティの増加が第１光源及び第２光源夫々への供給電流の増加及び減少に対応付けられ、調色デューティの減少が第１光源及び第２光源夫々への供給電流の減少及び増加に対応付けられる。
【００７７】
検出した調色デューティが上記デューティの範囲内にない場合（Ｓ１５：ＮＯ）、マイコン１０は、検出した調色デューティが５％未満であるか否かを判定する（Ｓ１７）。調色デューティが５％未満である場合（Ｓ１７：ＹＥＳ）、マイコン１０は、第２光源に供給する電流を、検出した調光デューティに応じた電流の１００％値、即ち調光デューティと式（１）及び（２）とによって決まるＩｓｕｍの値とし、更に第１光源に供給する電流をＩｓｕｍの５％値から漸減させて（Ｓ１８：第１漸減部に相当）図８の処理を終了する。この場合、直前に第１光源に供給していた電流から漸減させるようにしてもよい。
【００７８】
検出した調色デューティが５％未満ではない場合（Ｓ１７：ＮＯ）、即ち９０％より大きい場合、マイコン１０は、第１光源に供給する電流を、検出した調光デューティに応じた電流の１００％値、即ち調光デューティと式（１）及び（２）とによって決まるＩｓｕｍの値とし、更に第２光源に供給する電流をＩｓｕｍの５％値から漸減させて（Ｓ１９：第２漸減部に相当）図８の処理を終了する。この場合、直前に第２光源に供給していた電流から漸減させるようにしてもよい。
【００７９】
上記のフローチャートのステップＳ１５では、調色デューティが５％以上、且つ９０％以下であるか否かを判定したが、調色デューティが５％より大きく、且つ９０％より小さいか否かを判定するようにしてもよい。この場合、ステップＳ１７では出した調色デューティが５％以下であるか否かを判定すればよい。また、ステップＳ１５では、検出した調色デューティが５％以上、且つ９０％以下の範囲内にあるか否かを判定したが、検出したデューティが５％を上回り、且つ９０％を下回る範囲内にあるか否かを判定してもよい。この場合、ステップＳ１７では、検出した調色デューティが５％以下であるか否かを判定すればよい。
【００８０】
以上のように本実施形態１によれば、ＰＷＭ信号である調光信号及び調色信号夫々を調光器３及び４から取得し、取得したこれらの信号に基づく電流を光の色温度が異なる光源５及び６に供給して点灯させる。調光器４から取得した調色信号のデューティが５％から９０％までの範囲内にある場合、調色信号のデューティの大小（即ち増加及び減少）に応じて光源５に供給する電流を大小に調整する（即ち増加及び減少させる）と共に、光源６に供給する電流を小大に調整する（即ち減少及び増加させる）。また、取得した調色信号のデューティが５％より小さい場合、光源５に供給する電流を漸減させる。更に、調色信号のデューティが９０％より大きい場合、光源６に供給する電流を漸減させる。従って、調色信号のデューティが０％又は１００％に近づくように変化する場合であっても、調色された光源の色温度が不自然に変化しないようにすることが可能となる。
【００８１】
また、本実施形態１によれば、光源５及び６に供給する電流を漸減させる場合、時間の経過と共に直線的に電流を減少させるため、光源５及び６からの光が混色されて視認されたときの色温度を、簡単な制御でスムーズに変化させることができる。
【００８２】
更に、本実施形態１によれば、取得した調色信号のデューティが５％から９０％までの範囲内で変化する場合、光源５及び６夫々に供給する電流の変化範囲について、上限同士がＩｓｕｍの９５％に一致し、下限同士がＩｓｕｍの５％に一致するように調整する。これにより、調色信号のデューティに係る第１閾値及び第２閾値の中心値と０．５（５０％）とが一致しない場合であっても、光源５及び６に供給する電流をＩｓｕｍの５０％値を中心に滑らかに変化させることができる。
【００８３】
更に、本実施形態１によれば、取得した調色信号のデューティが５％より小さい場合、光源６に供給する電流を、光源６の変化範囲の上限の電流である０．９５Ｉｓｕｍと光源５の変化範囲の下限の電流である０．０５Ｉｓｕｍとを加算した電流（Ｉｓｕｍ）に維持する。また、取得した調色信号のデューティが９０％より大きい場合、光源５の変化範囲の上限の電流である０．９５Ｉｓｕｍと光源６の変化範囲の下限の電流である０．０５Ｉｓｕｍとを加算した電流（Ｉｓｕｍ）に維持する。これにより、調色信号のデューティが９０％を上回って上限に至るまで、及び５％を下回って下限に至るまでの間、光源５及び６夫々に供給する電流を、調光器による調整範囲の違いに依存することなくＩｓｕｍに維持することができる。
【００８４】
更に、本実施形態１によれば、調光器３から取得した調光信号のデューティが、９０％と５％との間にある場合、光源５及び６夫々に供給する電流を加算した電流が、取得した調光信号のデューティに応じた大きさの電流となるように調整する。これにより、標準的な調光器が出力可能な調光信号の変化範囲内で、光源５及び６に供給する電流の総量を、調光信号のデューティに応じて正確に増／減させることができる。
【００８５】
（実施形態２）
実施形態１は、調色信号のデューティが５％に上昇した場合に光源５に供給する電流を階段状に増加させ、調色信号のデューティが９０％に低下した場合に光源６に供給する電流を階段状に増加させる形態であった。これに対し、実施形態２は、調色信号のデューティが５％以上に上昇した場合に光源５に供給する電流を漸増させ、調色信号のデューティが９０％以下に低下した場合に光源６に供給する電流を漸増させる形態である。実施形態２における点灯装置１の構成は、実施形態１の場合と同様であるため、実施形態１に対応する箇所には同様の符号を付してその説明を省略する。本実施形態２では、実施形態１の図５に対応する図とフローチャートとを用いて説明する。
【００８６】
図９は、本発明の実施形態２に係る点灯装置１で調色信号のデューティと光源５及び６に供給される電流との関係を示すグラフである。図中横軸は調色信号のデューティ（％）を表し、縦軸は光源５及び６に供給される電流（ｍＡ）を表す。実線が光源５に対応し、破線が光源６に対応する。ここでは、簡単のために、調光信号のデューティが５％より小さい場合、即ちＩｓｕｍ＝Ｉｍａｘ＝１００ｍＡの場合について、マイコン１０が時系列的に取り込む調色信号のデューティが５％から９０％までの範囲内にあるところから動作を開始するものとして、実施形態１の図５の場合と異なる部分を中心に説明を行う。
【００８７】
マイコン１０が取り込んだ調色信号のデューティが５％から９０％までの範囲内で増／減する場合、実施形態１の場合と同様に、光源５に供給される電流は５ｍＡから９５ｍＡまでの範囲内で増／減し、光源６に供給される電流は９５ｍＡから５ｍＡまでの範囲内で減／増する。
【００８８】
その後、調色信号のデューティが９０％より大きくなった場合、マイコン１０は、積分回路１２に対して出力するＰＷＭ信号のデューティを１００％に維持すると共に、積分回路２２に対して出力するＰＷＭ信号のデューティを５％から０％に向けて一定の時間内に一定の減少率で漸減させる（図９に示す右下向きの矢印付き破線参照）。これにより、光源５に供給される電流が１００ｍＡとなり、光源６に供給される電流が５ｍＡから０ｍＡに漸減するのは、実施形態１の場合と同様である。
【００８９】
その後、調色信号のデューティが増加から減少に転じて再び９０％以下に低下した場合、マイコン１０は、積分回路１２に対して出力するＰＷＭ信号のデューティを９５％にすると共に、積分回路２２に対して出力するＰＷＭ信号のデューティを０％から５％に向けて一定の時間内に一定の増加率で直線的に漸増させる（図９に示す左上向きの矢印付き破線参照）。これにより、光源５に供給される電流が９５ｍＡとなり、光源６に供給される電流が０ｍＡから５ｍＡに漸増する。このように、調色信号が９０％より大きい領域における破線は、調色信号のデューティに応じて変化する電流を示しているのではなく、時間の経過に応じて変化する電流を示している。なお、積分回路２２に対して出力されるＰＷＭ信号のデューティが、上に凸の曲線に沿って滑らかに増加するようにしてもよい。
【００９０】
上記と同様に、調色信号のデューティが５％より小さくなった場合、マイコン１０は、積分回路２２に対して出力するＰＷＭ信号のデューティを１００％に維持すると共に、積分回路１２に対して出力するＰＷＭ信号のデューティを５％から０％に向けて漸減させる（図９に示す左下向きの矢印付き実線参照）。これにより、光源６に供給される電流が１００ｍＡとなり、光源５に供給される電流が５ｍＡから０ｍＡに漸減するのは、実施形態１の場合と同様である。
【００９１】
その後、調色信号のデューティが減少から増加に転じて再び５％以上に上昇した場合、マイコン１０は、積分回路２２に対して出力するＰＷＭ信号のデューティを９５％にすると共に、積分回路１２に対して出力するＰＷＭ信号のデューティを０％から５％に向けて一定の時間内に一定の増加率で直線的に漸増させる（図９に示す右上向きの矢印付き実線参照）。これにより、光源６に供給される電流が９５ｍＡとなり、光源５に供給される電流が０ｍＡから５ｍＡに漸増する。このように、調色信号が５％より小さい領域における破線は、調色信号のデューティに応じて変化する電流を示しているのではなく、時間の経過に応じて変化する電流を示している。なお、積分回路１２に対して出力されるＰＷＭ信号のデューティが、上に凸の曲線に沿って滑らかに増加するようにしてもよい。
【００９２】
図９に示すように、５％及び９０％を境に変化する調色信号のデューティに応じてマイコン１０が光源５及び６に供給する電流を漸減及び漸増させるには、前回の漸増及び漸減の際に検出していた調色信号のデューティが５％から９０％までの範囲内にあったか否かを記憶しておく必要がある。そこで、本実施形態２では、検出した調色信号のデューティを明示的に、且つ積極的に記憶部１０１に記憶する。なお、検出した調色信号のデューティが５％から９０％までの範囲内にあるか否かを示すフラグを記憶部１０１に記憶するようにしてもよく、デューティそのものを記憶する場合と同様の判定が行える。
【００９３】
以下では、上述した点灯装置１の動作を、それを示すフローチャートを用いて説明する。図１０及び図１１は、調光信号及び調色信号を取得して光源５及び６に供給する電流を増／減させるマイコン１０の処理手順を示すフローチャートである。図１０，１１の処理は、実施形態１の図８に示す処理と同様のタイミングで起動される。図１０のステップＳ２０〜Ｓ２５、Ｓ２７〜Ｓ２９及びＳ３１夫々の処理は、図８のステップＳ１０〜Ｓ１５、Ｓ１６〜Ｓ１８及びＳ１９の処理と同様であるため、これらのステップの説明の一部を省略する。なお、後述するフェードインのステップＳ２０では、検出した調色信号のデューティが初期値として記憶部１０１に記憶されるものとする。
【００９４】
図１０の処理が起動され、フェードインが終了し（Ｓ２０）、ステップＳ２１で検出した調色デューティに変更があった場合（Ｓ２４：ＹＥＳ）、ＣＰＵ１０は、検出した調色デューティが５％以上、且つ９０％以下の範囲内にあるか否かを判定する（Ｓ２５）。検出した調色デューティが上記デューティの範囲内にある場合（Ｓ２５：ＹＥＳ）、マイコン１０は、記憶部１０１に記憶したデューティが５％以上、且つ９０％以下の範囲内にあるか否かを判定する（Ｓ２６）。
【００９５】
記憶したデューティが上記デューティの範囲内にある場合（Ｓ２６：ＹＥＳ）、即ち、前回デューティを記憶したときに検出していた調色デューティが５％から９０％までの範囲内にあった場合、マイコン１０は、検出した調色デューティの増／減に応じて、第１光源に供給する電流を増／減させると共に、第２光源に供給する電流を減／増させた（Ｓ２７）後、ステップＳ２１に処理を移す。
【００９６】
検出した調色デューティが上記範囲内にない場合（Ｓ２５：ＮＯ）、マイコン１０は、検出した調色デューティが５％未満であるか否かを判定する（Ｓ２８）。検出した調色デューティが５％未満である場合（Ｓ２８：ＹＥＳ）、マイコン１０は、第２光源に供給する電流をＩｓｕｍの１００％値にすると共に、第１光源に供給する電流を漸減させ（Ｓ２９）、検出した調色デューティを記憶部１０１に記憶して（Ｓ３０）図１０の処理を終了する。検出した調色デューティが５％未満ではない場合（Ｓ２８：ＮＯ）、即ち９０％より大きい場合、マイコン１０は、第１光源に供給する電流をＩｓｕｍの１００％値にすると共に、第２光源に供給する電流を漸減させ（Ｓ３１）、検出した調色デューティを記憶部１０１に記憶して（Ｓ３２）図１０の処理を終了する。
【００９７】
ステップＳ２６で、記憶部１０１に記憶したデューティが上記範囲内にない場合（Ｓ２６：ＮＯ）、即ち、前回デューティを記憶したときに検出していた調色デューティが５％から９０％までの範囲内になかった場合、図１１に移って、ＣＰＵ１０は、記憶部１０１に記憶したデューティが５％未満であるか否かを判定する（Ｓ４０）。
【００９８】
記憶したデューティが５％未満である場合（Ｓ４０：ＹＥＳ）、マイコン１０は、第２光源に供給する電流を、検出した調光デューティに応じた電流の９５％値、即ち調光デューティと式（１）及び（２）とによって決まるＩｓｕｍの９５％値とし、更に第１光源に供給する電流を０％値からＩｓｕｍの５％値に向けて漸増させる（Ｓ４１：第１漸増部に相当）。その後、ＣＰＵ１０は、検出した調色デューティを記憶部１０１に記憶して（Ｓ４２）図１１の処理を終了する。
【００９９】
記憶したデューティが５％未満ではない場合（Ｓ４０：ＮＯ）、即ち９０％より大きい場合、マイコン１０は、第１光源に供給する電流を、検出した調光デューティに応じた電流（Ｉｓｕｍ）の９５％値とし（図９参照）、更に第２光源に供給する電流を０％値からＩｓｕｍの５％値に向けて漸増させ（Ｓ４３：第２漸増部に相当）、検出した調色デューティを記憶部１０１に記憶して（Ｓ４４）図１１の処理を終了する。
【０１００】
なお、ステップＳ４１では、検出した調色デューティに応じて、第２光源に供給する電流を）９５％値より少ない電流にし、第１光源の漸増の目標とする電流を５％値より多い電流にしてもよい。また、ステップＳ４３では、検出した調色デューティに応じて、第１光源に供給する電流を）９５％値より少ない電流にし、第２光源の漸増の目標とする電流を５％値より多い電流にしてもよい。
【０１０１】
以上のように本実施形態２によれば、光源５（第１光源）及び光源６（第２光源）に供給する電流を漸減させた場合に、検出した調色信号のデューティを記憶部１０１に記憶しておく。記憶したデューティが５％より小さく、且つ検出した調色信号のデューティが５％及び９０％の範囲内にある場合は、光源５に供給する電流を漸増させ、記憶部１０１に記憶したデューティが９０％より大きく、且つ検出した調色信号のデューティが５％及び９０％の範囲内にある場合は、光源６に供給する電流を漸増させる。更に、光源５及び６に供給する電流を漸増させた場合は、検出した調色信号のデューティを記憶部１０１記憶して記憶内容を更新する。記憶部１０１に記憶したデューティと、検出した調色信号のデューティとが５％及び９０％の範囲内にある場合は、調色信号のデューティに応じて光源５及び光源６に供給する電流を調整する。従って、調色信号のデューティが０％近くから増加するか又は１００％近くから減少すように変化する場合であっても、調色された光源の色温度が不自然に変化しないようにすることが可能となる。
【０１０２】
また、本実施形態２によれば、光源５及び６に供給する電流を漸増させる場合、検出した調色信号のデューティに応じて供給すべき電流に向けて、時間の経過と共に直線的に電流を増加させるため、源５及び６からの光が混色されて視認されたときの色温度を、簡単な制御でスムーズに変化させることができる。
【符号の説明】
【０１０３】
１  点灯装置
１０  マイコン
１０１  記憶部
１１、２１、１４、２４  フォトカプラ
１２、２２  積分回路
１３、２３  オペアンプ
１５、２５  制御ＩＣ
１６、２６  ＤＣ／ＤＣコンバータ
１７、２７  抵抗器
２０  ＰＦＣ回路
３、４  調光器
５、６  光源
７  交流電源
【図１】
2018163852.tif 000003
【図２】
2018163852.tif 000004
【図３】
2018163852.tif 000005
【図４】
2018163852.tif 000006
【図５】
2018163852.tif 000007
【図６】
2018163852.tif 000008
【図７】
2018163852.tif 000009
【図８】
2018163852.tif 000010
【図９】
2018163852.tif 000011
【図１０】
2018163852.tif 000012
【図１１】
2018163852.tif 000013